(57)【要約】【課題】  簡易な構成でありながら、カード等を傷めることなく繰り返し安定して表示することが可能な表示具を提供すること。【解決手段】  表示具１は、弾性を有する棒材をコイル状に多重巻回して成る一対の表示物挟み部２を、当該表示物挟み部２の棒材間に隙間を形成することができ、かつ、当該隙間が略同一平面上に配置されるよう配設し、一対の表示物挟み部２の間を接続し、互いに所定の距離離隔させて配設される一対の接続部４により構成され、当該一対の接続部４を互いに近接する方向に把持することにより表示物挟み部２の棒材間に隙間を形成させるためのクリップ操作部５と、一対の接続部４の一方に連結される支持部３とを備えることを特徴とする。【選択図】        図１
0003136189.tif 000002
【実用新案登録請求の範囲】
【請求項１】
弾性を有する棒材をコイル状に多重巻回して成る一対の表示物挟み部を、当該表示物挟み部の棒材間に隙間を形成することができ、かつ、当該隙間が略同一平面上に配置されるよう配設し、
前記一対の表示物挟み部の間を接続し、互いに所定の距離離隔させて配設される一対の接続部により構成され、当該一対の接続部を互いに近接する方向に把持することにより前記表示物挟み部の棒材間に隙間を形成させるためのクリップ操作部と、
前記一対の接続部の一方に連結される支持部と、
を備えることを特徴とする表示具。
【請求項２】
請求項１に記載の表示具において、
前記一対の接続部は、前記一対の表示物挟み部うち一方の表示物挟み部の棒材の端部と、対応する他方の表示物挟み部の棒材の端部とを各々接続する表示具。
【請求項３】
請求項１または請求項２に記載の表示具において、
前記接続部は、弾性を有する棒材を略Ｖ字に成型され、
前記支持部は、当該略Ｖ字の屈曲先端にＹ字を形成するように接続されている表示具。
【請求項４】
請求項１乃至請求項３のいずれかに記載の表示具において、
前記支持部は、台座に立接されている表示具。
【考案の詳細な説明】
【技術分野】
【０００１】
この発明は、ポップカードや商品見本を保持して表示するための表示具に関するものである。
【背景技術】
【０００２】
上記のような表示具の従来例として、例えば特許文献１に示すような表示具を挙げることができる。この表示具は、１本の金属棒材の中間部をコイル状に多重巻回して形成した表示物挟み部と、当該金属棒材の一方の端部に形成した押さえ部と、当該金属棒材の他方の端部で形成した支持部と、この支持部を立てて設けるための台座とから構成されている。値札等のポップカードや商品見本を前記表示物挟み部の金属棒材間に挟んで留めることにより、商店の店頭などにおいて顧客に値札や見本等を表示できるようになっている。
【特許文献１】特開２００３−９８９６４号公報
【考案の開示】
【考案が解決しようとする課題】
【０００３】
しかしながら特許文献１に記載の表示具では、表示物挟み部が１つであるためポップカードや商品見本を金属棒材間に挟んで留めるときに、カード等が傾いた状態で支持されることがあった。このようにカード等が傾いた状態で支持されると、商品等の説明書を記載したカードを挟んだ表示具を商品等の陳列と同時に複数使用する場合に、同一サイズのカードを表示しているにもかかわらす個々のカードの微妙な傾き加減により売り場の統一感が損なわれるという問題があった。また、著しく傾いた状態でカードが支持されている場合には、商品等の説明が購入者から読みにくいなどの問題があった。
【０００４】
そこで、本願考案は、上記従来の課題を解決するためになされたものであって、簡易な構成でありながら、カード等を傷めることなく繰り返し安定して表示することが可能な表示具を提供することを目的とする。
【課題を解決するための手段】
【０００５】
請求項１に記載の考案は、弾性を有する棒材をコイル状に多重巻回して成る一対の表示物挟み部を、当該表示物挟み部の棒材間に隙間を形成することができ、かつ、当該隙間が略同一平面上に配置されるよう配設し、前記一対の表示物挟み部の間を接続し、互いに所定の距離離隔させて配設される一対の接続部により構成され、当該一対の接続部を互いに近接する方向に把持することにより前記表示物挟み部の棒材間に隙間を形成させるためのクリップ操作部と、前記一対の接続部の一方に連結される支持部と、を備えることを特徴とする。
【０００６】
請求項２に記載の考案は、請求項１に記載の考案において、前記一対の接続部は、前記一対の表示物挟み部うち一方の表示物挟み部の棒材の端部と、対応する他方の表示物挟み部の棒材の端部とを各々接続する。
【０００７】
請求項３に記載の考案は、請求項１または請求項２に記載の考案において、前記接続部は、弾性を有する棒材を略Ｖ字に成型され、前記支持部は、当該略Ｖ字の屈曲先端にＹ字を形成するように接続されている。
【０００８】
請求項４に記載の考案は、請求項１乃至請求項３のいずれかに記載の考案において、前記支持部は、台座に立接されている。
【考案の効果】
【０００９】
請求項１乃至請求項４に記載の考案によれば、一対の表示物挟み部を備えることから、カード等が表示されるときに様々な方向に傾くことを低減できる。
【００１０】
また、一対の表示物挟み部を接続する２個の接続部によりクリップ操作部を構成していることから、使用者は一対の表示物挟み部に同時に同じ幅の隙間を形成させることができ、カード等の表示物を傷めることなく、その取り付け取り外しを繰り返し容易に行うことが可能となる。
【００１１】
さらに、表示物挟み部を構成する棒材自身がクリップ・バネとして機能するので、表示物を痛めるのを回避しつつ、十分な耐久性を得ることが可能となる。
【考案を実施するための最良の形態】
【００１２】
以下、本願考案の実施例に係る表示具を図面に基づいて説明する。図１は、この考案の実施例に係る表示具１を示す斜視図である。図２はその正面図であり、図３はその側面図である。
【００１３】
この表示具１は、図１に示すように、一対の表示物挟み部２と、一対の表示物挟み部２を接続する２個の接続部４から成る表示物挟み部２に隙間を形成させるためのクリップ操作部５と、一対を形成させた表示物挟み部２を接続部４を介して支持する支持部３と、支持部３の立設させるための台座６とから構成される。
【００１４】
表示物挟み部２と接続部４と支持部３とは、弾性を有する金属製棒材を用いて形成され、この棒材の一方の端部は直線状に伸びる支持部３とされる。そして、この支持部３のさらに先端を折り曲げ加工して、台座６への取付部１１が形成される。
【００１５】
表示物挟み部２は、棒材が多重巻回されて形成される。この実施例においては、表示物挟み部２は、図２および図３に示すように、隣接する周回部７、８が、正面すなわち巻回方向から見てほぼ同径の円状をなすように、２重に棒材が巻回されている。２重に巻回された棒材の端部は、図１および図２に示すように、表示物挟み部２の棒材間の隙間が略同一平面上に配設されるよう、ぞれぞれ、Ｖ字形状の接続部４の棒材の端部に接続される。これにより一対の表示物挟み部２が形成されることになる。
【００１６】
接続部４はＶ字の同一形状のものが２個備えられる。この２個の接続部４は一対を構成し、表示具１の正面視においては、図２に示すように、互いに重なり合う位置に配置され、側面視においては、図３に示すように、所定の距離ｄだけ離隔した位置に配置される。また、一方の接続部４のＶ字の先端が支持部３に接続されている。そして、この一対の接続部４によりクリップ操作部５が構成される。このような構成により、接続部４を互いに近接する方向に使用者が摘むことで、一対の表示物挟み部２の巻回された棒材の間の隙間が略同一平面上に生じることとなり、容易にカード等のその取り付け取り外しができるようになる。
【００１７】
なお、この実施例においては、表示物挟み部２と接続部４と支持部３とは一本の棒材を用いてい形成している。すなわち、一本の棒材の一端は支持部３の取付部１１の先端となる。そして、その棒材を支持部３の伸びる方向から見て約３０〜４５度折り曲げて支持部３に接続される接続部４における一方のＶ字の一片と、巻回して表示物挟み部２と、接続部４の他方のＶ字と、棒材を再度巻回して表示物挟み部２とをそれぞれ形成させ、支持部３に接続する接続部４における一方のＶ字の残りの一片を形成可能な長さに棒材を切断し、その棒材の端部を図２に示す正面視において支持部３と接続部４のＶ字の先端との接点９において溶接により接続する。これにより、図２に示す正面視において１個の接続部４のＶ字と支持部３とにより略Ｙ字の形状が形成され、一本の棒材から表示物挟み部２と接続部４と支持部３とが一体に形成された形状が完成する。
【００１８】
このように、この実施例においては、一本の棒材から表示物挟み部２と接続部４と支持部３とを形成しているため、溶接による接続が一箇所だけでよく、加工の手間を省いてコストダウンを図ることができる。なお、表示物挟み部２と接続部４と支持部３とを各部分ごとに形成したものを、相互に溶接等により接続してもよい。
【００１９】
支持部３の先端に形成された前記取付部１１は金属板から成る台座３に取付けられ、これによって台座６に支持部３が立てて設けられる。
【００２０】
次に、表示物挟み部２について、図３乃至図５を参照して説明する。図４および図５は、この考案における表示物挟み部２の説明図である。
【００２１】
上述した実施例においては、図３に示すように、棒材をコイル状に多重巻回して形成する表示物挟み部２は巻回された棒材間に隙間がなく周回部７、８が互いに接している状態である。この巻回された棒材の周回部７、８の間には、図４に示すように予め所定の隙間ｄ１を持たせてもよい。このように、表示物挟み部２には、挟もうとする表示物の厚みに応じて、様々な幅の隙間を形成することが可能である。
【００２２】
また、図５に示すように、表示物挟み部２０の側面視において、棒材を３重乃至４重巻きした各周回部の間ごとに異なった隙間ｄ２、ｄ３を形成させてもよい。この表示物挟み部２０においては、周回部２６、２７間に隙間ｄ２を形成するとともに、周回部２８、２９間にこれと異なる広さを有する隙間ｄ３を形成し、さらに周回部２７、２８は互いに接触した形状としている。このようにすると、一つの表示具に、様々な厚さの表示物を同時に又は選択して、保持させることができる。
【００２３】
なお、棒材をコイル状に多重巻回して形成する表示物挟み部２では、もちろん、巻き方向は時計回りでも半時計回りでもよく、表示物挟み部２の正面視における図形も、円形に限定するものではない。さらに、棒材をコイル状に多重巻回しとは、同一直径を有する円形状を繰り返し形成させるだけでなく、いわゆる渦巻き状に巻回すことも含む。
【００２４】
図６は、この実施例に係る表示具１の使用の状態を示す斜視図である。この実施例では、使用者がクリップ操作部５を挟むように指等で摘んで外力を加えることにより、表示物挟み部２に隙間を形成することができる。従ってポップカード３０や商品見本の端部を痛めることなく、その取り付け取り外しを繰り返すことができる。しかも表示物挟み部２の全体がクリップ・バネとして機能するから、十分な耐久性を得ることができる。
【００２５】
図７は、この考案の他の実施例に係る表示具を示す斜視図である。この実施例においては台座６を省略し、支持部３の先端は、折り曲げることなく伸びた形状をしている。このような支持部３の先端は、たとえば、発泡スチロール等の軟素材の台座や、植木等の鉢植えやプランターに差し込んで使用することが可能である。
【００２６】
上述した実施例では表示具の材料として金属製の棒材を用いたが、弾性を有する材料であれば、プラスチックやその他の材料を用いることができる。
【図面の簡単な説明】
【００２７】
【図１】この考案の実施例に係る表示具１を示す斜視図である。
【図２】この考案の実施例に係る表示具１の正面図である。
【図３】この考案の実施例に係る表示具１の側面図である。
【図４】この考案における表示物挟み部２を説明する説明図である。
【図５】この考案における表示物挟み部２を説明する説明図である。
【図６】この考案の実施例に係る表示具１の使用の状態を示す説明図である。
【図７】この考案の他の実施例の表示具を示す斜視図である。
【符号の説明】
【００２８】
１    表示具
２    表示物挟み部
３    支持部
４    接続部
５    クリップ操作部
６    台座
７    周回部
８    周回部
９    接点
２０    表示物挟み部
３０    ポップカード
【図１】
0003136189.tif 000003
【図２】
0003136189.tif 000004
【図３】
0003136189.tif 000005
【図４】
0003136189.tif 000006
【図５】
0003136189.tif 000007
【図６】
0003136189.tif 000008
【図７】
0003136189.tif 000009